(57)【特許請求の範囲】
【請求項１】
所定数系統の電源部との接続に供される電源パターンエリアが回路基板上に配設され、且つ該電源パターンエリアの所定箇所が複数の磁気ディスク装置との接続に供されると共に、該電源パターンエリアは該複数の磁気ディスク装置に対して共通して導通するものである電源共倒れ防止パッケージにおいて、前記回路基板は、前記電源パターンエリアにおける前記所定箇所に配備されて前記複数の磁気ディスク装置との接続に別個に供されると共に、それぞれ電源供給状態検出保護機能を有する複数の第１のスイッチと、前記電源パターンエリアにおける前記所定数系統の電源部との接続に別個に供されるように配備されると共に、それぞれ電源供給状態検出保護機能を有する所定数の第２のスイッチとを持つことを特徴とする電源共倒れ防止回路パッケージ。
【請求項２】
請求項１記載の電源共倒れ防止回路パッケージにおいて、前記回路基板上における前記電源パターンエリア以外の箇所に配設されると共に、一端側が前記所定数系統の電源部との接続に供され、且つ他端側が該所定数系統の電源部を別個に制御するための所定数系統のコントロールパッケージとの接続に供される所定数系統のパターンを有することを特徴とする電源共倒れ防止回路パッケージ。
【請求項３】
請求項２記載の電源共倒れ防止回路パッケージにおいて、前記電源パターンエリアは、前記所定数の第２のスイッチ毎にそれぞれ前記複数の第１のスイッチのそれぞれ全部に対して接続されるパターンを有することを特徴とする電源共倒れ防止回路パッケージ。
【請求項４】
請求項３記載の電源共倒れ防止回路パッケージにおいて、前記複数の第１のスイッチ及び前記所定数の第２のスイッチは、前記電源供給に伴う過電圧を自己検出した結果に応じて自回路内の導電信号線を切断する過電圧検出保護回路から成ることを特徴とする電源共倒れ防止回路パッケージ。
【請求項５】
請求項３記載の電源共倒れ防止回路パッケージにおいて、前記複数の第１のスイッチ及び前記所定数の第２のスイッチは、前記電源供給に伴う過電流を自己検出した結果に応じて自回路内の導電信号線を切断する過電流検出保護回路から成ることを特徴とする電源共倒れ防止回路パッケージ。
【請求項６】
請求項２〜５の何れか一つに記載の電源共倒れ防止回路パッケージを用いたディスクアレイ装置において、前記所定数系統のパターンの一端側に別個に接続されると共に、前記所定数の第２のスイッチを別個に介して前記電源パターンエリアに接続された前記所定数系統の電源部と、前記所定数系統のパターンの他端側に別個に接続された前記所定数系統のコントロールパッケージと、バックボード上に搭載されると共に、前記所定数の第１のスイッチを別個に介して前記電源パターンエリアの所定箇所に接続された前記複数の磁気ディスク装置とを備えたことを特徴とするディスクアレイ装置。
【請求項７】
請求項６記載のディスクアレイ装置において、前記バックボード上には、前記所定数系統のコントロールパッケージを前記電源共倒れ防止回路パッケージ上における前記電源パターンエリア以外の箇所に配設された前記所定数系統のパターンとの間で別個に接続するための所定数系統の専用パターンが配設されたことを特徴とするディスクアレイ装置。
【請求項８】
請求項７記載のディスクアレイ装置において、前記所定数系統のコントロールパッケージは、前記バックボード上における前記所定数系統の専用パターン及び前記電源共倒れ防止回路パッケージ上における前記電源パターンエリア以外の箇所に配設された前記所定数系統のパターンを介して前記所定数系統の電源部との間で１対１の対応で接続されると共に、該所定数系統の電源部による前記所定数の第２のスイッチに対する電源供給をそれぞれ独立して制御することを特徴とするディスクアレイ装置。
【発明の詳細な説明】
【０００１】
【発明の属する技術分野】
本発明は、主として２４時間稼働するシステムにおける電源部を要部とする不特定な箇所で障害が発生してもシステムダウンしないようにするための電源共倒れ防止機能に関し、詳しくは全ての冗長構成を有効に活用した電源共倒れ防止回路パッケージ及びそれを用いたディスクアレイ装置に関する。
【０００２】
【従来の技術】
従来、この種の電源共倒れ防止機能を備えたディスクアレイ装置の一例としては、図２に示すような構成のものが挙げられる。
【０００３】
このディスクアレイ装置は、バックボード１ａ上のほぼ半分を占める箇所に電源パターンエリア２９が配設されており、このバックボード１ａ上の残りの半分を占める箇所に搭載された複数の磁気ディスク装置（ＨＤＤ）２1 〜２n から延びたパターンが電源パターンエリア２９における各磁気ディスク装置（ＨＤＤ）２1 〜２n 側の所定箇所と接続されると共に、電源パターンエリア２９における各磁気ディスク装置（ＨＤＤ）２1 〜２n 側と反対側の所定箇所が２系統の電源部１４，１５と接続されており、この他、バックボード１ａ上における電源パターンエリア２９以外の箇所に配設されたパターン（ここでは電源パターンエリア２９の外側のパターンを示す）を介して２系統の電源部１４，１５を制御するための２系統のコントロールパッケージ（ＣＮＴ・ＰＫＧ）１２，１３がそれぞれ２系統の電源部１４，１５と接続されている。
【０００４】
このディスクアレイ装置では、コントロールパッケージ（ＣＮＴ・ＰＫＧ）１２，１３でそれぞれ電源部１４，１５を制御することによりバックボード１ａ上における電源パターンエリア２９を通して電源供給が行われ、これによってバックボード１ａ上に配備された複数の磁気ディスク装置（ＨＤＤ）２1 〜２n が常時稼働可能な状態となる。即ち、このディスクアレイ装置では、各磁気ディスク装置（ＨＤＤ）２1 〜２n の稼働状態でコントロールパッケージ（ＣＮＴ・ＰＫＧ）１２及び電源部１４とコントロールパッケージ（ＣＮＴ・ＰＫＧ）１３及び電源部１５との何れか片方が障害を起こして故障しても、全体がシステムダウンとならないように冗長構成を構築している。
【０００５】
尚、このディスクアレイ装置の場合、２系統のコントロールパッケージ（ＣＮＴ・ＰＫＧ）１２，１３及び電源部１４，１５をそれぞれバックボード１ａ上に配設された電源パターンエリア２９の外側のパターンを介して接続した構成として説明したが、これらの各部を３系統以上として増設した構成にすることも可能である。但し、このような増設構成とする場合、電源パターンエリア２９におけるパターンを各電源部がそれぞれ全部の磁気ディスク装置（ＨＤＤ）２1 〜２n に対して接続されるように変更する必要がある。
【０００６】
ところが、このような構成のディスクアレイ装置の場合、通常の使用状態では問題無く機能するが、例えば電源パターンエリア２９における何れか一箇所でも障害が発生すると、全体がシステムダウンとなってしまうため、常時稼働することが要求されるディスクアレイ装置用の電源共倒れ防止機能としては好適でなく、信頼性に欠くものとなっている。
【０００７】
そこで、図３に示される他例に係るディスクアレイ装置のように、全体がシステムダウンを起こし難いように電源共倒れ防止機能を改良した構成のものも開発されている。
【０００８】
このディスクアレイ装置では、全体がシステムダウンを起こさないように、２系統の電源部１４ａ，１５ａの内部構成を変更し、それぞれ各磁気ディスク装置（ＨＤＤ）２1 〜２n の設置数分に対応するように電源モジュール５ａ，５ｂに電源供給状態検出保護機能（過電流又は過電圧を自己検出した結果に応じて自回路内の導電信号線を切断する機能）を有する複数のスイッチ（ＳＷ）３1 〜３n を接続した構成とすると共に、バックボード１ｂ上においても冗長構成された電源パターンを配設するように変更し、この上で２系統の電源部１４ａ，１５ａにおける各スイッチ（ＳＷ）３1 〜３n と複数の磁気ディスク装置（ＨＤＤ）２1 〜２n とを電源パターンに対して接続した構成としている。
【０００９】
具体的に言えば、このディスクアレイ装置の場合、バックボード１ｂ上のほぼ半分を占める箇所に冗長構成された電源パターンが配設されており、このバックボード１ａ上の残りの半分を占める箇所に搭載された複数の磁気ディスク装置（ＨＤＤ）２1 〜２n から延びたパターンが電源パターンにおける各磁気ディスク装置（ＨＤＤ）２1 〜２n 側の所定箇所と接続されると共に、電源パターンにおける各磁気ディスク装置（ＨＤＤ）２1 〜２n 側と反対側の所定箇所が２系統の電源部１４ａ，１５ａにおける電源モジュール５ａ，５ｂにそれぞれ接続された複数のスイッチ（ＳＷ）３1 〜３n と接続されており、この他、バックボード１ｂ上における冗長構成された電源パターンの外側の箇所に配設されたパターンを介して２系統の電源部１４ａ，１５ａにおけるそれぞれ複数系統の電源供給を制御するための２系統のコントロールパッケージ（ＣＮＴ・ＰＫＧ）１２′，１３′が２系統の電源部１４ａ，１５ａと接続されている。
【００１０】
このディスクアレイ装置では、コントロールパッケージ（ＣＮＴ・ＰＫＧ）１２′，１３′でそれぞれ電源部１４ａ，１５ａにおける電源モジュール５ａ，５ｂを介して複数の各スイッチ（ＳＷ）３1 〜３n からバックボード１ｂ上に配設された冗長構成された電源パターンを通して複数系統の電源供給が行われ、これによってバックボード１ｂ上に配備された複数の磁気ディスク装置（ＨＤＤ）２1 〜２n が常時稼働可能な状態となる。即ち、このディスクアレイ装置では、稼働状態で電源パターンの何れか一箇所で障害が発生しても、全体がシステムダウンとならないため、常時稼働することが要求されるディスクアレイ装置用の共倒れ防止機能として好適なものとなっている。
【００１１】
尚、このディスクアレイ装置の場合においても、２系統のコントロールパッケージ（ＣＮＴ・ＰＫＧ）１２′，１３′及び電源部１４ａ，１５ａをバックボード１ｂ上に配設された電源パターン（冗長構成されたもの）の外側のパターンを介して接続した構成として説明したが、これらの各部を３系統以上として増設した構成にすることも可能である。但し、このような増設構成とする場合、電源部毎に電源モジュールに接続されるスイッチ（ＳＷ）３1 〜３n を全部の磁気ディスク装置（ＨＤＤ）２1 〜２n の設置数と等しい台数とした上、冗長構成の電源パターンにおけるパターンを各電源部における各スイッチ（ＳＷ）３1 〜３n がそれぞれ各磁気ディスク装置（ＨＤＤ）２1 〜２n の固有に対応するものに対して接続されるように変更する必要がある。
【００１２】
因みに、このようなディスクアレイ装置における電源共倒れ防止機能に関連する周知な伝送技術としては、例えば特開平５−１６５７７２号公報に開示された二重化システムにおけるバス接続方法等が挙げられる。
【００１３】
【発明が解決しようとする課題】
上述した図３で説明した電源共倒れ防止機能を備えたディスクアレイ装置の場合、バックボード上に配設された電源パターンの何れか一箇所で障害が発生しても全体がシステムダウンとならずに稼働することが可能であるため、動作上は信頼性高い有効なものとなっているが、その構成上において、電源部の内部構成が改良されてそれぞれの電源モジュールに接続される複数のスイッチが磁気ディスク装置の設置数分に対応する個数を要するものとなっており、しかもバックボード上に配設される電源パターンも冗長構成される必要がある上、コントロールパッケージにおいても電源部毎に複数系統の電源供給を制御する必要があることにより、電源部毎に使用するスイッチの総数（電源モジュールを含めた部品点数）が膨大となり、電源部における大型化やコスト高が回避され得ないという問題があるばかりでなく、バックボードの電源パターンの配設が複雑であるために製造コストが割高になり易い上、コントロールパッケージにおける各電源部毎における複数系統の電源供給の制御に要する構成が複雑となって大型化が回避され得ず、しかも高精度なものが要求されて高価なものを使用せざるを得ない等の事情があり、全体として大規模化やコスト高を解消できないという問題がある。
【００１４】
本発明は、このような問題点を解決すべくなされたもので、その技術的課題は、電源部並びに電源パターンの構成が簡素であると共に、コントロールパッケージにおける電源供給の制御も簡単であり、全体として小規模化やコスト削減を図り得る精度高い電源共倒れ防止機能を有する電源共倒れ防止回路パッケージ及びそれを用いたディスクアレイ装置を提供することにある。
【００１５】
【課題を解決するための手段】
本発明によれば、所定数系統の電源部との接続に供される電源パターンエリアが回路基板上に配設され、且つ該電源パターンエリアの所定箇所が複数の磁気ディスク装置との接続に供されると共に、該電源パターンエリアは該複数の磁気ディスク装置に対して共通して導通するものである電源共倒れ防止回路パッケージにおいて、回路基板は、電源パターンエリアにおける所定箇所に配備されて複数の磁気ディスク装置との接続に別個に供されると共に、それぞれ電源供給状態検出保護機能を有する複数の第１のスイッチと、電源パターンエリアにおける所定数系統の電源部との接続に別個に供されるように配備されると共に、それぞれ電源供給状態検出保護機能を有する所定数の第２のスイッチとを持つ電源共倒れ防止回路パッケージが得られる。
【００１６】
又、本発明によれば、上記電源共倒れ防止回路パッケージにおいて、回路基板上における電源パターンエリア以外の箇所に配設されると共に、一端側が所定数系統の電源部との接続に供され、且つ他端側が該所定数系統の電源部を別個に制御するための所定数系統のコントロールパッケージとの接続に供される所定数系統のパターンを有する電源共倒れ防止回路パッケージが得られる。
【００１７】
更に、本発明によれば、上記電源共倒れ防止回路パッケージにおいて、電源パターンエリアは、所定数の第２のスイッチ毎にそれぞれ複数の第１のスイッチのそれぞれ全部に対して接続されるパターンを有する電源共倒れ防止回路パッケージが得られる。
【００１８】
加えて、本発明によれば、上記電源共倒れ防止回路パッケージにおいて、複数の第１のスイッチ及び所定数の第２のスイッチは、電源供給に伴う過電圧を自己検出した結果に応じて自回路内の導電信号線を切断する過電圧検出保護回路から成る電源共倒れ防止回路パッケージ、或いは複数の第１のスイッチ及び所定数の第２のスイッチは、電源供給に伴う過電流を自己検出した結果に応じて自回路内の導電信号線を切断する過電流検出保護回路から成る電源共倒れ防止回路パッケージが得られる。
【００１９】
一方、本発明によれば、上記何れか一つの電源共倒れ防止回路パッケージを用いたディスクアレイ装置において、所定数系統のパターンの一端側に別個に接続されると共に、所定数の第２のスイッチを別個に介して電源パターンエリアに接続された所定数系統の電源部と、所定数系統のパターンの他端側に別個に接続された所定数系統のコントロールパッケージと、バックボード上に搭載されると共に、所定数の第１のスイッチを別個に介して電源パターンエリアの所定箇所に接続された複数の磁気ディスク装置とを備えたディスクアレイ装置が得られる。
【００２０】
又、本発明によれば、上記ディスクアレイ装置において、バックボード上には、所定数系統のコントロールパッケージを電源共倒れ防止回路パッケージ上における電源パターンエリア以外の箇所に配設された所定数系統のパターンとの間で別個に接続するための所定数系統の専用パターンが配設されたディスクアレイ装置が得られる。このディスクアレイ装置において、所定数系統のコントロールパッケージは、バックボード上における所定数系統の専用パターン及び電源共倒れ防止回路パッケージ上における電源パターンエリア以外の箇所に配設された所定数系統のパターンを介して所定数系統の電源部との間で１対１の対応で接続されると共に、該所定数系統の電源部による所定数の第２のスイッチに対する電源供給をそれぞれ独立して制御することは好ましい。
【００２１】
【発明の実施の形態】
以下に実施例を挙げ、本発明の電源共倒れ防止回路パッケージ及びそれを用いたディスクアレイ装置について、図面を参照して詳細に説明する。
【００２２】
図１は、本発明の一実施例に係る電源共倒れ防止機能を持つ電源共倒れ防止回路パッケージ（ＰＫＧ）１６を用いたディスクアレイ装置の基本構成を示した回路ブロック図である。
【００２３】
このディスクアレイ装置は、小型のバックボード１ｃ上のほぼ全体を占める箇所に複数の磁気ディスク装置（ＨＤＤ）２1 〜２n が搭載されており、バックボード１ｃとは別体の回路基板としての電源共倒れ防止回路パッケージ（ＰＫＧ）１６上におけるほぼ中央部分に配設された電源パターンエリア２９における各磁気ディスク装置（ＨＤＤ）２1 〜２n 側の所定箇所には各磁気ディスク装置（ＨＤＤ）２1 〜２n との接続に供される複数の第１のスイッチ（ＳＷ）３1 〜３n が配備されると共に、各磁気ディスク装置（ＨＤＤ）２1 〜２n 側と反対側の所定箇所には２系統の電源部１４，１５との接続に供される２系統の第２のスイッチ４ａ，４ｂが配備され、この他、バックボード１ｃ上における専用パターン及び電源共倒れ防止回路パッケージ（ＰＫＧ）１６上における電源パターンエリア２９以外の箇所（ここでは電源パターンエリア２９の外側を示す）に配設されたパターンを介して２系統の電源部１４，１５との間において１対１の対応で接続されると共に、２系統の電源部１４，１５による各第２のスイッチ（ＳＷ）４ａ，４ｂに対する電源供給をそれぞれ独立して制御するための２系統のコントロールパッケージ（ＣＮＴ・ＰＫＧ）１２，１３がそれぞれ２系統の電源部１４，１５と接続されている。即ち、電源共倒れ防止回路パッケージ（ＰＫＧ）１６においては、電源パターンエリア２９以外の箇所に２系統のパターンが配設され、それらの一端側が２系統の電源部１４，１５との接続に供され、且つそれらの他端側が２系統の電源部１４，１５を別個に制御するための２系統のコントロールパッケージ（ＣＮＴ・ＰＫＧ）１２，１３との接続に供されるようになっている。
【００２４】
このうち、電源共倒れ防止回路パッケージ（ＰＫＧ）１６上の電源パターンエリア２９の所定箇所に配備された各第１のスイッチ（ＳＷ）３1 〜３n 及び各第２のスイッチ（ＳＷ）４ａ，４ｂは、何れも電源供給状態検出保護機能を有するもので、具体的には２系統の電源部１４，１５からの電源供給に伴う過電圧を自己検出した結果に応じて自回路内の導電信号線を切断する過電圧検出保護回路か、或いはその電源供給に伴う過電流を自己検出した結果に応じて自回路内の導電信号線を切断する過電流検出保護回路から成るものである。このような過電圧検出保護回路や過電流検出保護回路としては、周知なものを適用すれば良い。
【００２５】
又、バックボード１ｃ上に配設された専用パターンは、２系統のコントロールパッケージ（ＣＮＴ・ＰＫＧ）１２，１３を電源共倒れ回路パッケージ（ＰＫＧ）１６上における電源パターンエリア２９以外の箇所（電源パターンエリア２９の外側）に配設されたパターンとの間で接続するために設けられており、これによって上述したように２系統のコントロールパッケージ（ＣＮＴ・ＰＫＧ）１２，１３がバックボード１ｃ上における専用パターン及び電源共倒れ防止回路パッケージ（ＰＫＧ）１６上における電源パターンエリア２９以外の箇所に配設されたパターンを介して２系統の電源部１４，１５との間において１対１の対応で接続される。
【００２６】
更に、電源パターンエリア２９は、各第２のスイッチ（ＳＷ）４ａ，４ｂ毎にそれぞれ各第１のスイッチ（ＳＷ）３1 〜３n のそれぞれ全部に対して接続されるパターンを有するもので、そのパターン自体は図２で説明した従来装置のバックボード１ａ上に配設されたものと同じ構成となっている。
【００２７】
加えて、磁気ディスク装置（ＨＤＤ）２1 〜２n は、それ自体に５Ｖ，１２Ｖの２つの電源ラインを有しているが、何れの電源ラインを対象にしてもバックボード１ｃ上で搭載されて上でそのパターンが延在し、且つそれらのパターンを電源共倒れ防止回路パッケージ（ＰＫＧ）１６上の第１のスイッチ３1 〜３n との間でそれぞれ１対１の対応で接続する構成とすることができる。
【００２８】
このディスクアレイ装置では、コントロールパッケージ（ＣＮＴ・ＰＫＧ）１２，１３でそれぞれ電源部１４，１５を制御することにより電源共倒れ防止回路パッケージ（ＰＫＧ）１６上における各第２のスイッチ（ＳＷ）４ａ，４ｂ，電源パターンエリア２９，及び各第１のスイッチ（ＳＷ）３1 〜３n を通して電源供給が行われ、これによってバックボード１ｃ上に配備された複数の磁気ディスク装置（ＨＤＤ）２1 〜２n が常時稼働可能な状態となる。即ち、このディスクアレイ装置においても、図２に示した従来装置の場合と同様に、各磁気ディスク装置（ＨＤＤ）２1 〜２n の稼働状態でコントロールパッケージ（ＣＮＴ・ＰＫＧ）１２及び電源部１４とコントロールパッケージ（ＣＮＴ・ＰＫＧ）１３及び電源部１５との何れか片方が障害を起こして故障しても、全体がシステムダウンとならないように冗長構成を構築している。
【００２９】
但し、このディスクアレイ装置の場合、図２に示した従来装置の場合とは異なり、２系統の電源部１４，１５及び各磁気ディスク装置（ＨＤＤ）２1 〜２n との接続に供される電源パターンエリア２９を各磁気ディスク装置（ＨＤＤ）２1 〜２n が搭載されるバックボード１ｃ上でなく、これとは別体の回路基板である電源共倒れ防止回路パッケージ（ＰＫＧ）１６上に配設すると共に、電源パターンエリア２９の所定箇所であって、２系統の電源部１４，１５に対する入力側にはそれぞれ電源供給状態検出保護機能を有する第２のスイッチ（ＳＷ）４ａ，４ｂを配備し、且つ各磁気ディスク装置（ＨＤＤ）２1 〜２n に対する出力側にはそれぞれ電源供給状態検出保護機能を有する第１のスイッチ（ＳＷ）３1 〜３n を配備しており、電源パターンエリア２９における一部の箇所で障害が発生しても全体がシステムダウンしないため、常時稼働することが要求されるディスクアレイ装置用の電源共倒れ防止機能として好適となる。この他、図３に示した従来装置と比較すれば、電源部１４，１５の構成や電源パターンエリア２９の電源パターンの構成が簡素化されていると共に、コントロールパッケージ（ＣＮＴ・ＰＫＧ）１２，１３における電源供給の制御も簡単であることにより、全体として小規模化やコスト削減を図り得る精度高い電源共倒れ防止機能を備えたものとなっている。
【００３０】
ところで、このディスクアレイ装置において、電源共倒れ防止回路パッケージ（ＰＫＧ）１６上に配設された電源パターンエリア２９の所定箇所に電源供給状態検出保護機能を有する第２のスイッチ（ＳＷ）４ａ，４ｂ及び第１のスイッチ（ＳＷ）３1 〜３n が配備されていなければ、障害発生時には全体がシステムダウンとなってしまう。例えば、磁気ディスク装置（ＨＤＤ）２1 近傍の箇所が何等かの影響でショート等の障害を発生した場合、第２のスイッチ（ＳＷ）４ａ，４ｂ及び第１のスイッチ（ＳＷ）３1 〜３n が無ければ、電源パターンエリア２９は全ての磁気ディスク装置（ＨＤＤ）２1 〜２n に対して共通して導通するものであるために電源供給されなくなり、全体がシステムダウンとなる。同様に、電源部１４近傍の別な箇所で障害が発生しても、電源パターンエリア２９は全ての磁気ディスク装置（ＨＤＤ）２1 〜２n に対して共通して導通するものであるために電源供給されなくなり、全体がシステムダウンとなる。
【００３１】
一実施例に係るディスクアレイ装置の場合、その構成上において障害が発生し易い箇所は、上述した場合のような各部間の接続箇所が大部分であり、バックボード１ｃとは別体の電源共倒れ防止回路パッケージ（ＰＫＧ）１６上に配設された電源パターンエリア２９内だけでは発生し難い。そこで、電源パターンエリア２９の所定箇所［各電源部１４，１５及び各磁気ディスク装置（ＨＤＤ）２1 〜２n に対する接続箇所］に第２のスイッチ（ＳＷ）４ａ，４ｂ及び第１のスイッチ（ＳＷ）３1 〜３n を設けるようにすることで全体のシステムダウンを防止することができる。
【００３２】
こうした構成とすれば、例えば上記した場合と同じ磁気ディスク装置（ＨＤＤ）２1 近傍の箇所で障害が発生した場合、第１のスイッチ（ＳＷ）３1 が過電圧や過電流を検出し、その場合に自回路内の導電信号線を切断することにより電源パターンエリア２９にその影響を及ぼさないようにし、全体のシステムダウンを防止することができる。又、同様に電源部１４近傍の箇所で障害が発生した場合においても、第２のスイッチ（ＳＷ）４ａが過電圧や過電流を検出し、その場合に自回路内の導電信号線を切断することにより電源パターンエリア２９にその影響を及ぼさないようにし、全体のシステムダウンを防止することができる。
【００３３】
尚、一実施例に係るディスクアレイ装置の場合においても、２系統のコントロールパッケージ（ＣＮＴ・ＰＫＧ）１２，１３及び電源部１４ａ，１５ａをバックボード１ｃ上に配設された専用パターン及び電源共倒れ防止回路パッケージ（ＰＫＧ）１６上に配設された電源パターンエリア２９の外側のパターンを介して接続した構成として説明したが、これらの各部を３系統以上として増設した構成にすることも可能である。又、複数の磁気ディスク装置（ＨＤＤ）２1 〜２n の台数としてｎ＝１０とする場合を例示できるが、これらの台数も例えば１２台，１５台，…，という具合に増設することもできる。但し、このような増設構成とする場合、電源パターンエリア２９における各電源部側の所定箇所に配備される第２のスイッチ（ＳＷ）の設置数を３系統以上とすると共に、各磁気ディスク装置（ＨＤＤ）側の所定箇所に配備される第１のスイッチ（ＳＷ）の設置数を１１系統以上とし、電源パターンエリア２９におけるパターンを各電源部に対応する各第２のスイッチ（ＳＷ）がそれぞれ各磁気ディスク装置（ＨＤＤ）に対応する各第１のスイッチ（ＳＷ）に対して接続されるように変更する必要がある。何れにしても、図３に示した従来装置の場合と比べれば全体として小規模化やコスト削減を図り得る精度高い電源共倒れ防止機能を備えたものとなる。
【００３４】
【発明の効果】
以上に述べた通り、本発明の電源共倒れ防止回路パッケージによれば、回路基板上に配設されると共に、複数の磁気ディスク装置に対して共通して導通する電源パターンエリアにおける所定箇所に電源供給状態検出保護機能を有する複数の第１のスイッチを配備して複数の磁気ディスク装置との接続にそれぞれ別個に行い得るようにすると共に、電源パターンエリアにおける所定数系統の電源部との接続をそれぞれ電源供給状態検出保護機能を有する所定数の第２のスイッチを配備して別個に行い得るようにした上、電源パターンエリア以外の箇所に所定数系統のコントロールパッケージとの接続に供される所定数系統のパターンを配設してそれらの一端側を所定数系統の電源部との接続に供され、且つそれらの他端側を所定数系統の電源部を別個に制御するための所定数系統のコントロールパッケージとの接続に供されるようにしているため、電源部並びに電源パターンの構成が簡素であり、しかもコントロールパッケージにおける電源供給の制御も簡単に行うことができ、全体として小規模化やコスト削減を図り得る精度高い電源共倒れ防止機能が得られるようになる。又、この電源共倒れ防止回路パッケージを用いたディスクアレイ装置においても、従来装置のように複数の磁気ディスク装置が搭載されるバックボード上に所定数系統の電源部及び各磁気ディスク装置との接続に供される電源パターンエリアや冗長構成された電源パターンを配設せず、バックボード上には各磁気ディスク装置及びそれから延在するパターンのみを設けてバックボード自体を小型化すると共に、バックボードと別体な回路基板上には電源パターンエリアにおける各電源部側の所定箇所に電源供給状態検出保護機能を有する所定数の第２のスイッチが配備され、且つ各磁気ディスク装置側の所定箇所に電源供給状態検出保護機能を有する複数の第１のスイッチが配備された電源共倒れ防止回路パッケージを備え、更にバックボード上における専用パターン及び電源共倒れ防止回路パッケージ上における電源パターンエリア以外の箇所に配設されたパターンを介して所定数系統の電源部との間において１対１の対応で接続されて各電源部による各第２のスイッチに対する電源供給をそれぞれ独立して制御する所定数系統のコントロールパッケージがそれぞれ各電源部と接続される構成としているので、電源パターンエリア上の一部に障害が発生しても全体がシステムダウンすることが無く、常時稼働することが要求されるディスクアレイ装置用の電源共倒れ防止機能として好適となる上、従来装置と比較して各電源部並びに電源パターンエリアの電源パターンの構成が簡素化されていると共に、各コントロールパッケージにおける電源供給の制御も簡単であることにより、全体として小規模化やコスト削減を図り得る精度高い電源共倒れ防止機能を構築できるようになる。
【図面の簡単な説明】
【図１】  本発明の一実施例に係る電源共倒れ防止機能を持つ電源共倒れ防止回路パッケージを用いたディスクアレイ装置の基本構成を示した回路ブロック図である。
【図２】  従来の一例に係る電源共倒れ防止機能を備えたディスクアレイ装置の基本構成を示した回路ブロック図である。
【図３】  従来の他例に係る電源共倒れ防止機能を備えたディスクアレイ装置の基本構成を示した回路ブロック図である。
【符号の説明】
１ａ，１ｂ，１ｃ  バックボード
２1 〜２n   磁気ディスク装置（ＨＤＤ）
３1 〜３n ，４ａ，４ｂ  スイッチ（ＳＷ）
５ａ，５ｂ  電源モジュール
１２，１２′，１３，１３′  コントロールパッケージ（ＣＮＴ・ＰＫＧ）
１４，１４ａ，１５，１５ａ  電源部
１６  電源共倒れ防止回路パッケージ（ＰＫＧ）
２９  電源パターンエリア
【図１】
0003646786.tif 000002
【図２】
0003646786.tif 000003
【図３】
0003646786.tif 000004